(57)【要約】【課題】本発明は、加熱調理機器のタッチ式操作入力部の機械的接触部分の信頼性維持に関するものである。【解決手段】制御部に設けた第１の制御モードにより、タッチ式操作入力部の電位が所定値内であるかを判定し、所定の値を超えれば、第２の制御モードにより電圧及び電流をタッチ式操作入力部へ印加し、機械的接触部分の電気的信頼性の維持を図るものである。【選択図】  図１
2004215902.tif 000002
【特許請求の範囲】
【請求項１】
機器を操作するタッチ操作の有無を電位の変化として出力するタッチ式操作入力部と、前記タッチ式操作入力部の待機時での電位が所定値内であるかを比較検出する第１の制御モードと、前記第１の制御モードにて所定の電位差を検出すると、前記タッチ式操作入力部へ所定の電圧及び電流を印加する第２の制御モードと、前記タッチ式操作入力部からの入力を認識し処理する第３の制御モードとを有する制御部と、前記第３の制御モードからの信号出力に応じて加熱動作を行う動作出力部とを備えた加熱調理機器。
【請求項２】
機器を操作するタッチ操作の有無を電位の変化として出力するタッチ式操作入力部と、前記タッチ式操作入力部の操作時での電位が所定値内であるかを比較検出する第１の制御モードと、前記第１の制御モードにて所定の電位差を検出すると、前記タッチ式操作入力部へ所定の電圧及び電流を印加する第２の制御モードと、前記タッチ式操作入力部からの入力を認識し処理する第３の制御モードとを有する制御部と、前記第３の制御モードからの信号出力に応じて加熱動作を行う動作出力部とを備えた加熱調理機器。
【請求項３】
第１の制御モードは、タッチ式操作入力部の操作時の電位と初期状態の電位との差を比較検出する請求項１または２に記載の加熱調理機器。
【請求項４】
機器を操作するタッチ操作の有無を電位の変化として出力するタッチ式操作入力部と、前記タッチ式操作入力部の待機時の電位と、前記タッチ式操作入力部へ入力された際の電位との差を比較検出する第１の制御モードと、前記第１の制御モードにて所定の電位差を検出すると、前記タッチ式操作入力部へ所定の電圧及び電流を印加する第２の制御モードと、前記タッチ式操作入力部からの入力を認識し処理する第３の制御モードとを有する制御部と、前記第３の制御モードからの信号出力に応じて加熱動作を行う動作出力部とを備えた加熱調理機器。
【請求項５】
第１の制御モードは、タッチ式操作入力部の初期状態における待機時の電位と、前記操作入力部の操作時の電位との差を比較検出する請求項４に記載の加熱調理機器。
【請求項６】
第１の制御モードは、機器を使用する際の電源スイッチ投入時を起点とし、所定周期毎にタッチ式操作入力部の電位を２つの異なる状態における電位との差を比較検出する請求項１〜５のいずれか１項に記載の加熱調理機器。
【請求項７】
第１の制御モードは、機器の使用を終了し電源スイッチを切る際に予め設定されたタッチ式操作入力部の電位を２つの異なる状態における電位との差を比較検出する請求項１〜５のいずれか１項に記載の加熱調理機器。
【請求項８】
第２の制御モードは、第１の制御モードにて所望する２つの異なる状態における電位との差を比較検出した後、所定の周期にてタッチ式操作入力部へ所定の電圧あるいは電流を印加する請求項３〜６のいずれか１項に記載の加熱調理機器。
【請求項９】
第２の制御モードは、機器の操作時にタッチ式操作入力部へ電圧あるいは電流を印加する請求項１〜８のいずれか１項に記載の加熱調理機器。
【請求項１０】
第２の制御モードは、機器操作時の所定時間後にタッチ式操作入力部へ電圧あるいは電流を印加する請求項１〜８のいずれか１項に記載の加熱調理機器。
【請求項１１】
第２の制御モードは、機器を使用する際の電源スイッチ投入時または、機器の使用を終了し電源スイッチを切る際にタッチ式操作入力部へ電圧及び電流を印加する請求項１〜８のいずれか１項に記載の加熱調理機器。
【請求項１２】
第２の制御モードは、第１の制御モードにて比較検出される電位差が所定の電位差となり、比較検出される度に電位差が増加していればタッチ式操作入力部へ電圧及び電流も可変して印加する請求項１〜１１のいずれか１項に記載の加熱調理機器。
【請求項１３】
第２の制御モードは、第１の制御モードにて比較検出される電位差が所定の電位差を越えればタッチ式操作入力部へ電圧及び電流の印加を中止する請求項１〜１２のいずれか１項に記載の加熱調理機器。
【請求項１４】
第２の制御モードは、機器が操作中であればタッチ式操作入力部へ電圧および電流を印加することを中止する請求項１〜８に記載の加熱調理機器。
【発明の詳細な説明】
【０００１】
【発明の属する技術分野】
本発明は、加熱調理機器に関するものである。
【０００２】
【従来の技術】
近年、熱源を電力、都市ガス及びＬＰガスとする加熱調理機器の火力コントロールをマイコン、ＩＣ等を利用した電子制御で行う機器が一般化してきている。中でも、機器の操作部において、タッチ式スイッチによるワンタッチ入力で行える操作性の向上した機器の普及もかなり進んできている。従来、タッチ式スイッチに関しては、操作性を重視したものが提案されている（例えば、特許文献１参照）。図５は従来の加熱調理機器を示す構成図である。すなわち、使用者により機器を操作するタッチ式操作入力部１へ信号入力すると、制御部２により、タッチ式操作入力部１からの信号入力を認識し、それに応じた信号を動作出力部３へ出力し、加熱動作が行われる。
【０００３】
【特許文献１】
実開昭５７−１０６１５２号公報
【０００４】
【発明が解決しようとする課題】
しかしながら、従来の加熱調理機器では、タッチ式スイッチ等によるワンタッチ入力で行える機器においては、タッチ式操作入力部を、たとえば本体の制御回路と接続する電気経路の電気接続部品は構成の制約上、相対する電極を半田付けによる直接的な接合ではなく、スプリングやバネ圧、勘合によるはめ込みなどを利用した機械的接触により電気信号伝送路を形成しているものが有る。
【０００５】
この場合、使用者により頻繁にタッチ式操作入力部へ行われる操作や長期間に渡る放置、使用開始からの経過時間、使用状況、設置環境により、場合によっては、タッチ式操作入力部を構成する電気接続部品の接合部が電気的、機械的接触の導通性を低下させ、タッチ式操作入力部からの信号入力を確実に制御部へ伝送することが困難になり、何度か同じ操作を繰り返さなければ、うまく動作しなくなる事態や、最悪の場合、特定のタッチ式操作入力部の部位で全くタッチ式操作入力部からの信号入力が制御部にて認識されなくなる可能性があるといった課題を有していた。
【０００６】
【課題を解決するための手段】
本発明は、前記従来の課題を解決するために、機器を操作するタッチ操作の有無を電位の変化として出力するタッチ式操作入力部での待機時における電位が所定値内であるかを比較検出する第１の制御モードにより、所定の値以上の電位差を検出すると、タッチ式操作入力部へ第２の制御モードにより電圧及び電流を印加するものである。この第２の制御モードによりタッチ式操作入力部を構成する電気的接続部分を活性化させるものである。
【０００７】
【発明の実施の形態】
請求項１に記載の発明は、機器を操作するタッチ操作の有無を電位の変化として出力するタッチ式操作入力部と、前記タッチ式操作入力部の待機時での電位が所定値内であるかを比較検出する第１の制御モードと、前記第１の制御モードにて所定の電位差を検出すると、前記タッチ式操作入力部へ所定の電圧及び電流を印加する第２の制御モードと、前記タッチ式操作入力部からの入力を認識し処理する第３の制御モードとを有する制御部と、前記第３の制御モードからの信号出力に応じて加熱動作を行う動作出力部とで構成することにより、第１の制御モードにて所定の電位差を検出されると、第２の制御モードにより、接点部に電圧及び電流を印加し、接点部の電気的なリフレッシュが行われ、タッチ式操作入力部の信頼性を維持することができる。
【０００８】
請求項２に記載の発明は、タッチ式操作入力部の電位が、所定値内であるかどうかの比較検出を行うタイミングを操作時に行う第１の制御モードとすることで、別段にタイミング設定することを不要とすることができる。
【０００９】
請求項３に記載の発明は、特に第１の制御モードを、タッチ式操作入力部の操作時の電位と初期状態の電位との差を比較検出することにより操作時の電位を設定することを不要とすることができる。
【００１０】
請求項４に記載の発明は、第１の制御モードを、タッチ式操作入力部の待機時の電位と、タッチ式操作入力部へ入力された際の電位との差を比較検出することにより、タッチ式操作入力部の接点部の導通性を確認することができ、所定の電位差が検出されれば、第２の制御モードにより、所定の電圧及び電流をタッチ式操作入力部に印加し、接点部の電気的なリフレッシュが行われ、タッチ式操作入力部の電気的接続の信頼性を維持することができる。
【００１１】
請求項５に記載の発明は、特に請求項４に記載の第１の制御モードを、タッチ式操作入力部の初期状態における待機時の電位と、操作時の電位との差を比較検出することで、接点部の導通性の確認の信頼性を向上させることができる。
【００１２】
請求項６に記載の発明は、第１の制御モードを、機器を使用する際の電源スイッチ投入時を起点とするか、又は、一定あるいは所定周期毎にタッチ式操作入力部の電位を所望する２つの異なる状態における電位との差を比較検出することで、接点部の導通性の確認の頻度を確保することができる。
【００１３】
請求項７に記載の発明は、第１の制御モードを、機器の使用を終了し、電源スイッチを切る際に、予め設定されたタッチ式操作入力部の電位を所望する２つの異なる状態における電位との差を比較検出することで、第１の制御モード実行時に機器の使用上で影響することを排することができる。
【００１４】
請求項８に記載の発明は、第２の制御モードを、第１の制御モードにて所望する２つの異なる状態における電位との差が所定の値であることを比較検出した後は、所定の周期にてタッチ式操作入力部へ所定の電圧、電流を印加することで、効率的に接点部の導通性を維持することができる。
【００１５】
請求項９に記載の発明は、請求項１、３または５に記載の第２の制御モードを、機器の操作時にタッチ式操作入力部へ電圧、電流を印加することで、第２の制御モードを実行する複雑なタイミング設定を不要とすることができる。
【００１６】
請求項１０に記載の発明は、第２の制御モードを、機器操作時の所定時間後にタッチ式操作入力部へ電圧、電流を印加することにより、操作入力された際の信号入力に影響することを排除することができる。
【００１７】
請求項１１に記載の発明は、第２の制御モードを、機器を使用する際の電源スイッチ投入時または、機器の使用を終了し、電源スイッチを切る際にタッチ式操作入力部へ電圧及び電流を印加することで、機器操作時の動作に影響することを抑制可能となる。
【００１８】
請求項１２に記載の発明は、第２の制御モードを、第１の制御モードにて比較検出される電位差が所定の電位差となり、比較検出される度に電位差が増加しておれば、タッチ式操作入力部へ電圧及び電流も可変して印加することにより、接点部の信頼性維持が図られる。
【００１９】
請求項１３に記載の発明は、第２の制御モードを、第１の制御モードにて比較検出される電位差が所定の電位差を越える不具合が判明すれば、タッチ式操作入力部へ電圧及び電流の印加を中止することで不要な動作を省略するものである。
【００２０】
請求項１４に記載の発明は、第２の制御モードを、機器が操作中であれば、タッチ式操作入力部へ電圧、電流の印加を中止することで、機器の実動作への影響を排することができる。
【００２１】
【実施例】
以下、本発明の実施例について、図面を用いて説明する。
【００２２】
（実施例１）
図１は、本発明の実施例１の加熱調理機器の構成図であり、図２は、タッチ式操作入力部の待機時と操作時の電位変化と経過時間の関係を示す図である。
【００２３】
本発明の実施例を図１、図２を用いて説明する。図１において、使用者により機器（図示せず）のタッチ式スイッチからなるタッチ式操作入力部１へ任意の操作が行われると、タッチ式操作入力部１からの入力を認識し処理する制御部２に設けられた第３の制御モード６により、動作出力部３を動作させ、加熱動作を行う。
【００２４】
また、タッチ式操作入力部１の待機時電位７が経時的に予測される変動巾を加味して設定された所定値ΔＥＷ内であるかをを比較検出する第１の制御モード４により所定値ΔＥＷ以上の電位差を検出すると、タッチ式操作入力部１へ電圧及び電流を印加する第２の制御モード５によりタッチ式操作入力部１を構成する電子部品や電気接続部品（図示せず）のバネ圧や、スプリングの押圧、勘合によるはめ込み等を利用した電極の機械的接続箇所を活性化し、経時的に発生する電極の金属接点部位の酸化膜、加熱調理機器周辺の不純物からなる塵埃により形成される高インピーダンスの被膜を排し、安定した電気的接続を維持することが可能となる。
【００２５】
これにより、タッチ式操作入力部１へ入力された信号は、正しく第３の制御モード６により認識され、使用者の意図どおりに動作出力部３が動作し、加熱調理が可能となる。
【００２６】
また、第１の制御モード４に機器を作製した時点あるいは、機器を最初に設置し、使用を開始した時点の初期状態の電位を記憶することにより、タッチ式操作入力部１の待機時電位７と初期状態の電位との差を比較検出し、待機時における電位を設定することを不要とすることができる。
【００２７】
また、タッチ式操作入力部１の電位が、所定値内であるかどうかの比較検出を行うタイミングを操作時に行う第１の制御モード４とすることで、別段にタイミング設定することを不要とすることができると共に、確実にタッチ式操作入力部１を操作する毎に、タッチ式操作入力部１を構成する電気接続部品の接続状態を監視することができ、タッチ式操作入力部１の信頼性を確保することができる。
【００２８】
また、第１の制御モード４を、タッチ式操作入力部１の操作時電位８と初期状態の電位との差を比較検出することにより操作時電位８を設定することを不要とすることができる。
【００２９】
また、第１の制御モード４を、タッチ式操作入力部１の待機時電位７と、前記タッチ式操作入力部１へ入力された際の操作時電位８との差ΔＥ１を比較検出することにより、タッチ式操作入力部１の接点部の導通性を確認することができ、操作時の所定の電位差ΔＥＣが検出されれば、第２の制御モードにより、所定の電圧及び電流を接点部に印加し、接点部の電気的なリフレッシュが行われ、タッチ式操作入力部１を構成する接続部の信頼性を維持することができる。
【００３０】
なお、機器使用開始から時間経過があり、待機時電位７と操作時電位８との電位差ΔＥｎの絶対値を判定基準とし、第２の制御モード５を実行しても良い。
【００３１】
また、第１の制御モード４を、タッチ式操作入力部１の初期状態における待機時電位７と、操作時電位８との差を比較検出することで、接点部の導通性の確認をより、容易に行うことができる。
【００３２】
また、第１の制御モード４を、機器を使用する際の電源スイッチ投入時を起点とするか、又は、一定あるいは所定周期毎にタッチ式操作入力部１の電位を所望する２つの異なる状態における電位との差を比較検出することで、接点部の導通性の確認の頻度を確保することができる。
【００３３】
また、第１の制御モード４を、機器の使用を終了し、電源スイッチを切る際に、予め設定されたタッチ式操作入力部１の電位を所望する２つの異なる状態における電位との差を比較検出することで、第１の制御モード４の実行時に機器の使用上で影響することを排することができる。
【００３４】
また、第２の制御モード５を、第１の制御モード４にて所望する２つの異なる状態における電位との差が所定の値であることを比較検出した後は、接点部の電気的接続が、経時的あるいは使用環境に起因する要因により、信頼性が低下し、電位差が変動したことと判定されるため、この時点からは、所定の周期にてタッチ式操作入力部１へ所定の電圧、電流を印加することで、効率的に接点部の導通性を維持することができる。
【００３５】
また、第２の制御モード５を、機器の操作時にタッチ式操作入力部１へ電圧、電流を印加することで、第２の制御モード５を実行する複雑なタイミング設定を不要とすることができる。
【００３６】
そして、使用者がタッチ式操作入力部１へ所望の入力操作を行っている場合は、タッチ式操作入力部１への電圧及び電流を印加する第２の制御モード５の実行を中止することで、操作中の信号入力との干渉が考えられる事態を回避し、安定した加熱動作が可能となる。
【００３７】
さらに、第２の制御モード５の実行タイミングを、機器操作時の所定時間後とすることにより、タッチ式操作入力部１へ電圧、電流を印加することにより、操作入力時の信号と重なり、互いに干渉することも無く、タッチ式操作入力部１への電圧及び、電流の印加を確実に行うことができ、タッチ式操作入力部１を構成する電気接続部品の接続状態を使用者が操作入力する毎に活性化することが可能となり、操作入力時の信頼性を高めることができる。
【００３８】
また、タッチ式操作入力部１へ電圧及び電流を印加する第２の制御モード５の実行タイミングを、機器を使用する際の電源スイッチ投入時または、機器の使用を終了し、電源スイッチを切る際に設定することにより、機器の使用、動作に殆ど影響することなく行うことができる。この結果、タッチ式操作入力部１を構成する電気接続部品の接続状態を効率的に活性化し、操作入力時の安定した信号入力に対する認識が制御部２にて可能となる。
【００３９】
（実施例２）
図３は、本発明の実施例２のタッチ式操作入力部１へ印加する電圧及び電流と経過時間の関係を示す図である。
【００４０】
本発明の実施例を図１、図３を用いて説明する。第１の制御モード４にて比較検出される電位差が所定の電位差となり、前記第１の制御モード４にて比較検出される度に電位差が増加しておれば、タッチ式操作入力部１へ電圧及び電流も可変して印加するが、その際、図３に示すように経過時間ｔに伴い、印加継続時間幅ｔｗを延長し、印加されるエネルギーを増加させて印加する第２の制御モード５とすることで、経時的に発生し、発生量も多くなる傾向にある電極の金属接点部位に生ずる酸化膜、加熱調理機器周辺の不純物からなる塵埃により形成される高インピーダンスの被膜を排し、導通性を効率的に確保することが可能となる。
【００４１】
（実施例３）
図４は、本発明の実施例４のタッチ式操作入力部１へ印加する電圧及び電流と経過時間の関係を示す図である。
【００４２】
本発明の実施例を図１、図４を用いて説明する。第１の制御モード４にて比較検出される電位差が所定の電位差となり、前記第１の制御モード４にて比較検出される度に電位差が増加しておれば、タッチ式操作入力部１へ電圧及び電流も可変して印加するが、経過時間ｔと共に、第２の制御モード５によりタッチ式操作入力部１へ印加する電圧及び電流のレベルを可変するが、その際、所定の値であるΔＥ分を前回に印加したレベルよりアップさせることにより、瞬時的に印加されるエネルギー量が増加し、電圧及び電流値が同じ状態とした印加継続時間のみで対応できない経時的に発生する電極の金属接点部位の酸化膜や、加熱調理機器周辺の不純物からなる塵埃により形成される高インピーダンスの被膜を排し、タッチ式操作入力部１を構成する電気接続部品の接続状態を活性化させることが可能となる。
【００４３】
なお、タッチ式操作入力部１へ印加する電圧及び電流のレベルは、比較検出される電位差が第２の制御モード５の実行により、前回より減少しておれば必要に応じてレベルを維持、減少させても良い。
【００４４】
また、第２の制御モード５を、第１の制御モード４にて比較検出される電位差が所定の電位差を越える不具合が判明すれば、タッチ式操作入力部１への電圧及び電流の印加を中止することで不要な動作を省略することができる。なお、その際、接点部に不具合が生じている可能性が大きいため、タッチ式操作入力部１への操作受付けを拒否または、機器の表示部（図示せず）に使用者に判り易いサインを示すことで、機器の不具合を知らしめることもできる。
【００４５】
【発明の効果】
以上のように請求項１〜１４に記載の発明によれば、本発明の加熱調理機器によれば、次の効果が得られる。
【００４６】
タッチ式操作入力部の待機時の電位が第１の制御モードにより所定値内であるかを比較検出し、所定の電位差を検出された際に第２の制御モードにより、電圧及び電流をタッチ式操作入力部へ印加することにより、タッチ式操作入力部を構成する機械的接続を用いた電気接続部位の活性化が効率良く図られ、機械的接続部の導通性が維持され、タッチ式操作入力部に入力される信号を確実に制御部に伝えることが可能となり、その結果、安定した加熱動作を行うことができる。
【００４７】
また、タッチ式操作入力部の待機時または操作時の初期状態の電位と現在の電位差を比較検出することで、精度良く接点部の状態を確認することができ、効率良く第２の制御モードにより電気的リフレッシュが可能となる。
【００４８】
また、タッチ式操作入力部の待機時と操作時の電位差を比較検出することで、実動作時の状態が確認できるため、比較検出の精度を高めることができる。
【図面の簡単な説明】
【図１】本発明の実施例１の加熱調理機器の構成図
【図２】本発明の実施例１の待機時と操作時の電位変化と経過時間との関係を示す図
【図３】本発明の実施例２の印加する電圧及び電流と時間の関係を示す図
【図４】本発明の実施例３の印加する電圧及び電流と時間の関係を示す図
【図５】従来の加熱調理機器の構成図
【符号の説明】
１  タッチ式操作入力部
２  制御部
３  動作出力部
４  第１の制御モード
５  第２の制御モード
６  第３の制御モード
７  待機時電位（初期状態）
８  操作時電位（初期状態）
【図１】
2004215902.tif 000003
【図２】
2004215902.tif 000004
【図３】
2004215902.tif 000005
【図４】
2004215902.tif 000006
【図５】
2004215902.tif 000007